(57)【要約】【課題】単機能のプリンタ装置と画像読取り装置とを接続して構成される画像処理システムにおいて、高機能画像処理設定を簡易に行うことである。【解決手段】プリンタ１０１に配設される操作パネルからの指示に従い、スキャナ１０２に対して設定可能な画像処理モードを設定するための設定フォーマットシートをプリンタ１０１から画像出力し、該画像出力された設定フォーマットシート上のチェックマークをスキャナ１０２により読み取り、該チェックマークから画像処理モードをプリンタ１０１およびスキャナ１０２に対して設定する構成を特徴とする。【選択図】      図１
2004291550.tif 000002
【特許請求の範囲】
【請求項１】
単機能のプリンタ装置と所定のインタフェースを介して画像読取り装置とが通信して画像処理機能を拡張可能な画像処理装置であって、
前記プリンタ装置に配設される操作パネルからの指示に従い、前記画像読取り装置に対して設定可能な画像処理モードを設定するための設定フォーマットシートを前記プリンタ装置から画像出力する出力手段と、
前記出力手段から出力された設定フォーマットシート上のチェックマークを前記画像読取り装置により読み取り、該チェックマークから画像処理モードを前記プリンタ装置および前記画像読取り装置に対して設定する制御手段と、
を有することを特徴とする画像処理装置。
【請求項２】
前記設定フォーマットシートは、チェックマークの位置が正常な位置にあるか否かを判定するための基準マーカを任意数備えることを特徴とする請求項１記載の画像処理装置。
【請求項３】
前記制御手段は、記憶される設定フォーマットシート画像データ中の絶対基準位置から前記設定フォーマットシートの基準マーカ位置があらかじめ設定される読み取り許容範囲内に存在するか否かを判断する第１の判断手段を備え、
前記第１の判断手段により前記基準マーカがあらかじめ設定される読み取り許容範囲内に存在しない場合に、前記設定フォーマットシートの読み取り位置エラーと再読み取り要求を前記操作パネルに表示させることを特徴とする請求項１記載の画像処理装置。
【請求項４】
前記制御手段は、前記第１の判断手段により前記基準マーカがあらかじめ設定される読み取り許容範囲内に存在する場合に、あらかじめ設定された基準マーカ位置と読み取られた基準マーカ位置との相対差に基づき、読み取るべき基準マーカ位置を補正することを特徴とする請求項１記載の画像処理装置。
【請求項５】
前記制御手段は、基準マーカ位置を補正した後、前記出力手段から出力された設定フォーマットシート上のチェックマークを前記画像読取り装置により読み取り、チェックマーク領域内のドット数をカウントするカウント手段と、
前記カウント手段によりカウントされたカウント値がある閾値を超える場合にそのチェックマークは塗りつぶされていると判断する第２の判断手段とを備え、前記第２の判断手段により設定フォーマットシート上のチェックマークが１個も塗りつぶされていない場合に、チェック抜けがあると判断することを特徴とする請求項４記載の画像処理装置。
【請求項６】
ネットワークを介してホストコンピュータと通信する通信手段を備え、
前記出力手段は、前記通信手段を介して前記ホストコンピュータ上の表示装置に表示される設定フォーマットシート上のチェックマークにマークが付与された設定フォーマットシート画像データを受信して前記プリンタ装置から画像出力することを判断することを特徴とする請求項１記載の画像処理装置。
【請求項７】
前記通信手段を介して前記ホストコンピュータから受信する設定フォーマットシート画像データに登録番号を付与してメモリに登録する登録手段を有し、
前記登録手段は、前記ホストコンピュータから順次受信する設定フォーマットシート画像データに登録番号を付与してメモリに連続して登録すると判断することを特徴とする請求項１記載の画像処理装置。
【請求項８】
前記プリンタ装置から画像出力される設定フォーマットシート画像を読み取って画像処理モードを設定する第１の拡張画像処理モードまたは前記メモリに登録された登録番号に従い受信した設定フォーマットシート画像データを解析して画像処理モードを設定する第２の拡張画像処理モードのいずれかを指定する指定手段を有し、
前記制御手段は、前記指定手段により指定された第１または第２の拡張画像処理モードに従い、画像処理モードを前記プリンタ装置および前記画像読取り装置に対して設定することを特徴とする請求項７記載の画像処理装置。
【請求項９】
単機能のプリンタ装置と所定のインタフェースを介して画像読取り装置とが通信して画像処理機能を拡張可能な画像処理装置における画像処理方法であって、
前記プリンタ装置に配設される操作パネルからの指示に従い、前記画像読取り装置に対して設定可能な画像処理モードを設定するための設定フォーマットシートを前記プリンタ装置から画像出力する出力ステップと、
前記出力ステップから出力された設定フォーマットシート上のチェックマークを前記画像読取り装置により読み取り、該チェックマークから画像処理モードを前記プリンタ装置および前記画像読取り装置に対して設定する制御ステップと、を有することを特徴とする画像処理方法。
【請求項１０】
前記設定フォーマットシートは、チェックマークの位置が正常な位置にあるか否かを判定するための基準マーカを任意数備えることを特徴とする請求項９記載の画像処理方法。
【請求項１１】
前記制御ステップは、記憶される設定フォーマットシート画像データ中の絶対基準位置から前記設定フォーマットシートの基準マーカ位置があらかじめ設定される読み取り許容範囲内に存在するか否かを判断する第１の判断ステップを備え、
前記第１の判断ステップにより前記基準マーカがあらかじめ設定される読み取り許容範囲内に存在しない場合に、前記設定フォーマットシートの読み取り位置エラーと再読み取り要求を前記操作パネルに表示させることを特徴とする請求項９記載の画像処理方法。
【請求項１２】
前記制御ステップは、前記第１の判断ステップにより前記基準マーカがあらかじめ設定される読み取り許容範囲内に存在する場合に、あらかじめ設定された基準マーカ位置と読み取られた基準マーカ位置との相対差に基づき、読み取るべき基準マーカ位置を補正することを特徴とする請求項９記載の画像処理方法。
【請求項１３】
前記制御ステップは、基準マーカ位置を補正した後、前記出力手段から出力された設定フォーマットシート上のチェックマークを前記画像読取り装置により読み取り、チェックマーク領域内のドット数をカウントするカウントステップと、前記カウントステップによりカウントされたカウント値がある閾値を超える場合にそのチェックマークは塗りつぶされていると判断する第２の判断ステップとを備え、
前記第２の判断ステップにより設定フォーマットシート上のチェックマークが１個も塗りつぶされていない場合に、チェック抜けがあることを判断することを特徴とする請求項１２記載の画像処理方法。
【請求項１４】
前記出力ステップは、通信手段を介してホストコンピュータ上の表示装置に表示される設定フォーマットシート上にチェックマークにマークが付与された設定フォーマットシートデータを受信して前記プリンタ装置から画像出力することを判断することを特徴とする請求項９記載の画像処理方法。
【請求項１５】
前記通信手段を介して前記ホストコンピュータから受信する設定フォーマットシートデータに登録番号を付与してメモリに登録する登録ステップを有し、
前記登録ステップは、前記ホストコンピュータから順次受信する設定フォーマットシートデータに登録番号を付与してメモリに連続して登録することを特徴とする請求項９記載の画像処理方法。
【請求項１６】
前記プリンタ装置から画像出力される設定フォーマットシートを読み取って画像処理モードを設定する第１の拡張画像処理モードまたは前記メモリに登録された登録番号に従い受信した設定フォーマットシートデータを解析して画像処理モードを設定する第２の拡張画像処理モードのいずれかを指定する指定ステップを有し、
前記制御ステップは、前記指定ステップにより指定された第１または第２の拡張画像処理モードに従い、画像処理モードを前記プリンタ装置および前記画像読取り装置に対して設定することを特徴とする請求項１５記載の画像処理方法。
【請求項１７】
請求項９〜１６のいずれかに記載の画像処理方法を実現するプログラムを格納したことを特徴とするコンピュータが読み取り可能な記憶媒体。
【請求項１８】
請求項９〜１６のいずれかに記載の画像処理方法を実現することを特徴とするプログラム。
【発明の詳細な説明】
【０００１】
【発明の属する技術分野】
本発明は、単機能のプリンタ装置と所定のインタフェースを介して画像読取り装置とが通信して画像処理機能を拡張可能な画像処理装置及び画像処理方法及びコンピュータが読み取り可能な記憶媒体およびプログラムに関するものである。
【０００２】
【従来の技術】
本来、この種の複合画像処理装置、例えばＭｕｌｔｉ  Ｆｕｎｃｔｉｏｎ  Ｐｒｉｎｔｅｒ（ＭＦＰ）であると多機能であるが故に、ユーザの使い勝手を考慮して必然的にその表示装置（以下、パネルと呼ぶ）は高価なＶＧＡ表示画面を持ち、タッチパネル等で容易に設定を行えるようになっている。
【０００３】
一方、画像処理装置、例えばＳｉｎｇｌｅ  Ｆｕｎｃｔｉｏｎ  Ｐｒｉｎｔｅｒ（ＳＦＰ）ではプリンタ機能に限定されているのでパネル構成としては、せいぜい２行程度のＬＣＤ表示と幾つかのキー及びＬＥＤから成っている場合が多い。
【０００４】
ネットワーク化が進んだＳＦＰにおいては、パネルは極力必要最小限としてコストを抑えて、ホスト側のドライバソフトの表示画面で各種設定を行う方向へと進んでいるのが現状である。
【０００５】
ここで、ＳＦＰにスキャナを接続してＭＦＰ化し、コピー機能を実現する場合、ユーザはＭＦＰ（プリンタ）の前でコピー操作を行うのが一般的である。
【０００６】
【発明が解決しようとする課題】
従って、ＳＦＰをＭＦＰに拡張する場合には、ユーザの使い勝手を考慮すると高価なＶＧＡ表示装置へ拡張するか、無理に現状のパネルの各種キーに多重に設定機能を割り付けなければならなくなる。
【０００７】
最近のＳＦＰは機能が充実しており、それだけでもかなりパネルのキー操作は複雑である。そこに、さらにコピー機能をパネルに割り当てることは実際不可能に近く、たとえ実現できたとしても非常に使い勝手の悪いものとなってしまう。当然ながらＶＧＡ表示装置を用いるとその分コストアップに直結する。
【０００８】
本発明は、上記の問題点を解決するためになされたもので、本発明の目的は、プリンタ装置に配設される操作パネルからの指示に従い、画像読取り装置に対して設定可能な画像処理モードを設定するための設定フォーマットシートを前記プリンタ装置から画像出力し、該画像出力された設定フォーマットシート上のチェックマークを前記画像読取り装置により読み取り、該チェックマークから画像処理モードを前記プリンタ装置および前記画像読取り装置に対して設定することにより、単機能のプリンタ装置と画像読取り装置とを接続して構成される画像処理システムにおいて、プリンタ装置が備える操作パネルの構成を変更することなく、高機能画像処理設定を簡易に行える利便性と操作性に優れた安価な画像処理装置及び画像処理方法及びコンピュータが読み取り可能な記憶媒体およびプログラムを提供することである。
【０００９】
【課題を解決するための手段】
上記目的を達成する本発明は以下に示す構成を備える。
【００１０】
本発明に係る第１の発明は、単機能のプリンタ装置と所定のインタフェースを介して画像読取り装置とが通信して画像処理機能を拡張可能な画像処理装置であって、前記プリンタ装置に配設される操作パネルからの指示に従い、前記画像読取り装置に対して設定可能な画像処理モードを設定するための設定フォーマットシートを前記プリンタ装置から画像出力する出力手段（例えば図２に示す印字部２１２）と、前記出力手段から出力された設定フォーマットシート上のチェックマークを前記画像読取り装置により読み取り、該チェックマークから画像処理モードを前記プリンタ装置および前記画像読取り装置に対して設定する制御手段（例えば図２に示すＣＰＵ２０７）とを有することを特徴とする。
【００１１】
本発明に係る第２の発明は、前記設定フォーマットシートは、チェックマークの位置が正常な位置にあるか否かを判定するための基準マーカを任意数備えることを特徴とする。
【００１２】
本発明に係る第３の発明は、前記制御手段は、記憶される設定フォーマットシート画像データ中の絶対基準位置から前記設定フォーマットシートの基準マーカ位置があらかじめ設定される読み取り許容範囲内に存在するか否かを判断する第１の判断手段（例えば図２に示すＣＰＵ２０７が実行する図１３に示すステップ１２０６）を備えと、前記第１の判断手段により前記基準マーカがあらかじめ設定される読み取り許容範囲内に存在しない場合に、前記設定フォーマットシートの読み取り位置エラーと再読み取り要求を前記操作パネルに表示させる（例えば図２に示すＣＰＵ２０７が実行する図１３に示すステップ１２０７）ことを特徴とする。
【００１３】
本発明に係る第４の発明は、前記制御手段は、前記第１の判断手段により前記基準マーカがあらかじめ設定される読み取り許容範囲内に存在する場合に、あらかじめ設定された基準マーカ位置と読み取られた基準マーカ位置との相対差に基づき、読み取るべき基準マーカ位置を補正する（例えば図２に示すＣＰＵ２０７が実行する図１３に示すステップ１２１０）ことを特徴とする。
【００１４】
本発明に係る第５の発明は、前記制御手段は、基準マーカ位置を補正した後、前記出力手段から出力された設定フォーマットシート上のチェックマークを前記画像読取り装置により読み取り、チェックマーク領域内のドット数をカウントするカウント手段（例えば図２に示すＣＰＵ２０７が実行する図１３に示すステップ１２１１）と、前記カウント手段によりカウントされたカウント値がある閾値を超える場合にそのチェックマークは塗りつぶされていると判断する第２の判断手段（例えば図２に示すＣＰＵ２０７が実行する図１３に示すステップ１２１２）とを備え、前記第２の判断手段により設定フォーマットシート上のチェックマークが１個も塗りつぶされていない場合に、チェック抜けがあることを判断する（例えば図２に示すＣＰＵ２０７が実行する図１３に示すステップ１２１３）ことを特徴とする。
【００１５】
本発明に係る第６の発明は、ネットワークを介してホストコンピュータと通信する通信手段（例えば図２に示すネットワークインタフェース部２０２）を備え、前記出力手段は、前記通信手段を介して前記ホストコンピュータ上の表示装置に表示される設定フォーマットシート上のチェックマークにマークが付与された設定フォーマット画像シートデータを受信して前記プリンタ装置から画像出力（例えば図２に示すＣＰＵ２０７が実行する図１６に示すステップ１３０５）することを判断することを特徴とする。
【００１６】
本発明に係る第７の発明は、前記通信手段を介して前記ホストコンピュータから受信する設定フォーマットシート画像データに登録番号を付与してメモリに登録する登録手段（例えば図２に示しＣＰＵ２０７が実行する図１６に示すステップ１３０３）を有し、前記登録手段は、前記ホストコンピュータから順次受信する設定フォーマットシートデータに登録番号を付与してメモリに連続して登録する（例えば図２に示すＣＰＵ２０７が実行する図１６に示すステップ１３０４）ことを判断することを特徴とする。
【００１７】
本発明に係る第８の発明は、前記プリンタ装置から画像出力される設定フォーマットシートを読み取って画像処理モードを設定する第１の拡張画像処理モードまたは前記メモリに登録された登録番号に従い受信した設定フォーマットシート画像データを解析して画像処理モードを設定する第２の拡張画像処理モードのいずれかを指定する指定手段（例えば図２に示しＣＰＵ２０７が実行する図１６に示すステップ１３０６，１３０８）を有し、前記制御手段は、前記指定手段により指定された第１または第２の拡張画像処理モードに従い、画像処理モードを前記プリンタ装置および前記画像読取り装置に対して設定することを特徴とする。
【００１８】
本発明に係る第９の発明は、単機能のプリンタ装置と所定のインタフェースを介して画像読取り装置とが通信して画像処理機能を拡張可能な画像処理装置における画像処理方法であって、前記プリンタ装置に配設される操作パネルからの指示に従い、前記画像読取り装置に対して設定可能な画像処理モードを設定するための設定フォーマットシートを前記プリンタ装置から画像出力する出力ステップ（図示しない）と、前記出力ステップから出力された設定フォーマットシート上のチェックマークを前記画像読取り装置により読み取り、該チェックマークから画像処理モードを前記プリンタ装置および前記画像読取り装置に対して設定する制御ステップ（例えば図２に示すＣＰＵ２０７が実行する図１２に示すステップ１１０３〜１１１２）とを有することを特徴とする。
【００１９】
本発明に係る第１０の発明は、前記設定フォーマットシートは、チェックマークの位置が正常な位置にあるか否かを判定するための基準マーカを任意数備えることを特徴とする。
【００２０】
本発明に係る第１１の発明は、前記制御ステップは、記憶される設定フォーマットシート画像データ中の絶対基準位置から前記設定フォーマットシートの基準マーカ位置があらかじめ設定される読み取り許容範囲内に存在するか否かを判断する第１の判断ステップ（例えば図２に示すＣＰＵ２０７が実行する図１３に示すステップ１２０６）を備え、前記第１の判断ステップにより前記基準マーカがあらかじめ設定される読み取り許容範囲内に存在しない場合に、前記設定フォーマットシートの読み取り位置エラーと再読み取り要求を前記操作パネルに表示（例えば図２に示すＣＰＵ２０７が実行する図１３に示すステップ１２０７）させることを特徴とする。
【００２１】
本発明に係る第１２の発明は、前記制御ステップは、前記第１の判断ステップにより前記基準マーカがあらかじめ設定される読み取り許容範囲内に存在する場合に、あらかじめ設定された基準マーカ位置と読み取られた基準マーカ位置との相対差に基づき、読み取るべき基準マーカ位置を補正する（例えば図２に示すＣＰＵ２０７が実行する図１２に示すステップ１２１０）ことを特徴とする。
【００２２】
本発明に係る第１３の発明は、前記制御ステップは、基準マーカ位置を補正した後、前記出力手段から出力された設定フォーマットシート上のチェックマークを前記画像読取り装置により読み取り、チェックマーク領域内のドット数をカウントするカウントステップ（例えば図２に示すＣＰＵ２０７が実行する図１３に示すステップ１２１１）と、前記カウントステップによりカウントされたカウント値がある閾値を超える場合にそのチェックマークは塗りつぶされていると判断する第２の判断ステップ（例えば図２に示すＣＰＵ２０７が実行する図１３に示すステップ１２１２）とを備え、前記第２の判断ステップにより設定フォーマットシート上のチェックマークが１個も塗りつぶされていない場合に、チェック抜けがあることを判断（例えば図２に示すＣＰＵ２０７が実行する図１３に示すステップ１２１３）することを特徴とする。
【００２３】
本発明に係る第１４の発明は、前記出力ステップは、通信手段を介してホストコンピュータ上の表示装置に表示される設定フォーマットシート上のチェックマークにマークが付与された設定フォーマットシートデータを受信して前記プリンタ装置から画像出力することを判断することを特徴とする。
【００２４】
本発明に係る第１５の発明は、前記通信手段を介して前記ホストコンピュータから受信する設定フォーマットシートデータに登録番号を付与してメモリに登録する登録ステップ（例えば図２に示しＣＰＵ２０７が実行する図１６に示すステップ１３０３）を有し、前記登録ステップは、前記ホストコンピュータから順次受信する設定フォーマットシートデータに登録番号を付与してメモリに連続して登録する（例えば図２に示すＣＰＵ２０７が実行する図１６に示すステップ１３０４）ことを特徴とする。
【００２５】
本発明に係る第１６の発明は、前記プリンタ装置から画像出力される設定フォーマットシートを読み取って画像処理モードを設定する第１の拡張画像処理モードまたは前記メモリに登録された登録番号に従い受信した設定フォーマットシートデータを解析して画像処理モードを設定する第２の拡張画像処理モードのいずれかを指定する指定ステップ（例えば図２に示すＣＰＵ２０７が実行する図１６に示すステップ１３０７，１３０８）を有し、前記制御ステップは、前記指定ステップにより指定された第１または第２の拡張画像処理モードに従い、画像処理モードを前記プリンタ装置および前記画像読取り装置に対して設定することを判断することを特徴とする。
【００２６】
本発明に係る第１７の発明は、第９〜第１６の発明のいずれかに記載の画像処理方法を実現するプログラムをコンピュータが読み取り可能な記憶媒体に記憶したことを特徴とする。
【００２７】
本発明に係る第１８の発明は、第９〜第１６の発明のいずれかに記載の画像処理方法を実現するプログラムであることを特徴とする。
【００２８】
【発明の実施の形態】
〔第１実施形態〕
図１は、本発明の第１実施形態を示す画像処理装置を適用可能な画像処理システムの構成を説明する図である。
【００２９】
図１において、１０１はプリンタである。１０３−１〜１０３−３は所定のオペレーティングシステムにより種々のアプリケーションを実行してプリントデータを生成可能なコンピュータ（以下、ホストと呼ぶ）である。
【００３０】
各ホスト１０３−１〜１０３−３とプリンタ１０１は、ネットワーク１０４上で接続されている。ここまでは、ＳＦＰ（Ｓｉｎｇｌｅ  Ｆｕｎｃｔｉｏｎ  Ｐｒｉｎｔｅｒ）としてのネットワークプリンタである。
【００３１】
１０２はスキャナで、例えばＵＳＢインタフェースを介してプリンタ１０１にオプション接続される。なお、インタフェースは、ＵＳＢに限らず、種々の双方向インタフェースが適用可能である。
【００３２】
これにより、スキャナ１０２より取り込んだ画像を直接プリンタ１０１へ出力してコピー機能を拡張することができる。従って、コピー機である以上、基本的な操作は、ユーザがプリンタ１０１のある場所に趣き、その場でコピー操作を指示することにより行う。
【００３３】
図２は、図１に示したプリンタ１０１の構成を説明する詳細ブロック図であり、図１と同一のものには同一の符号を付してある。なお、ホスト２０１は、図１に示したホスト１０３−１〜１０３−３を総称するものである。
【００３４】
図２において、２０１はネットワーク上で本プリンタに接続されている複数あるホストコンピュータ（ホスト）である。２０２はネットワークインタフェース部（Ｎｅｔｗｏｒｋ−ＩＦ部）であり、ネットワーク上の各ホストとのコマンド・ステータスやデータのやり取りを制御している。
【００３５】
２０３はスキャナ装置で、プリンタ１０１にＵＳＢインタフェース部（ＵＳＢ−ＩＦ部）２０４を介して接続される。ＵＳＢインタフェース部２０４」は、各種ＵＳＢ周辺機器とコマンド・ステータス及びデータのやり取りを制御する。
【００３６】
ここで、ＵＳＢ−ＩＦ部はＵＳＢ−Ｏｎ−Ｔｈｅ  Ｇｏのようにプリンタ１０１側とスキャナ装置１０２が互いにマスタ及びスレーブ関係を交換できる形態でもよいし、プリンタ１０１のオプションであるスキャナ装置２０３に限り独自（拡張）プロトコルを定義して、プリンタが常にマスタとして制御してもよい。
【００３７】
２０５はＲＯＭで、各種プログラム及びデータを格納する。２０６はＲＡＭで、各種データの格納及びプログラムの作業領域として用いられる。２０７はＣＰＵで、ＲＯＭ２０５に記憶された各種プログラムをＲＡＭ２０６上にロードして後述するフローチャートに示す手順に従い各部を制御する。
【００３８】
２０８は表示部（パネル）で、プリンタ１０１及びスキャナ装置１０２の各種設定や状態を表示する。２０９は描画部で、ホスト２０１やスキャナ装置２０３から送られてきた画像データに加工を施して、印刷データを生成する。
【００３９】
２１０はメモリ制御部で、ＣＰＵ２０７やその他の各ブロックのＲＯＭ２０５やＲＡＭ２０６へのアクセスを制御するとともに、ＤＭＡ（ダイレクトメモリアクセス）制御等もここで行う。２１１はビデオ制御部である。２１２は印刷部であり、印字データを印刷してプリント出力を行う。
【００４０】
ここで、ビデオ制御部２１１は、ＣＰＵ２０７と印刷部２１２とのコマンド・ステータスのやり取りの仲介や描画部２０９がＲＡＭ２０６上に作成した印刷データを印刷部２１２へ転送する働きを行う。
【００４１】
２１３はシステムバスで、本システムの各ブロックはすべてこのバスに接続され、制御やデータのやり取りを行う。データバス，コントロールバス等の各種バス（制御及びデータ）をひとまとめにして表している。以下、さらに図を用いて本発明の詳細な説明をする。
【００４２】
図３は、図２に示した表示部２０８の一例を示す図であり、ＳＦＰに標準的に搭載される表示パネルの例である。
【００４３】
図３において、３０１は２行ＬＣＤ表示装置（以下、ＬＣＤ）である。３０２〜３０４はＬＥＤで、それぞれ左から印刷可、メッセージ、ジョブのそれぞれの動作状態を点灯又は点滅で表示する。パネル中央左側の図形は、パネルの表面モールド上にイラストがシルク印刷されており、３０５はスキャナのイラストを表し、３０６はプリンタのイラストを表している。
【００４４】
各イラスト３０５，３０６の中央にはＬＥＤが付いており、必要なときに点灯する。スキャナを表すイラスト中央のＬＥＤは、スキャナを使用するモードの時に点灯する。
【００４５】
また、プリンタを表すイラストの中央２個と右縁の斜め四角枠（手差しを表す）１個のＬＥＤは、どの部分から用紙を給紙させるのかをＬＥＤの点灯で表示する。
【００４６】
３０７は給紙選択・キーで、前記給紙の場所を指定する。３０８はオンライン・キーである。このキーはＬＥＤ点灯ボタンとなっており、ＬＥＤ点灯でネットワークとオンラインで接続されていることを示している。
【００４７】
３０９は排出（排紙）・キーである。紙詰まり等のプリンタ内部に停滞している用紙を外部に排出する場合に用いる。３１０はコピー・キーである。ＳＦＰにスキャナを装着してコピー機能が搭載された場合に有効となり、このキーを押すことにより原稿のコピーが開始される。オンライン・キーと同様にＬＥＤ点灯（点滅）ボタンとなっている。
【００４８】
３１１は動作モード・キーで、一番基本となる動作モードを選択する。ユーティリティ／キャンセル・キー３１２とセットアップ・キー３１３でその下階層の項目を選択する。ユーティリティ／キャンセル・キー３１２は、表示のようにある動作及び選択モードの解除の働きも行う（詳細は後述）。これら３つのキー操作は逐次ＬＣＤに表示される。
【００４９】
３１４は実行／リセット（リセット／実行）・キーである。前記３つのキーで選択した項目を実際に決定（有効）する時に押下する。また、このキーはシステムを初期状態に戻すリセット・キーの役割も兼用している。
【００５０】
なお、図３において、四角枠はＬＥＤを、太い縁の円はＬＥＤ点灯（点滅）ボタンを表している。本図の例のようにＳＦＰをＭＦＰに拡張できるプリンタモデルには、接続されるオプション（この場合スキャナ）のイラスト印刷と必要最小限のキー（この場合はコピー・キー）をユーザインタフェースを考慮して、予め最低限はつけておく。このことによるコストアップは僅かである。
【００５１】
図４は、図３に示したＬＣＤ３０１に表示される動作モードの表示推移を示す図であり、図３に示した動作モード・キー３１１の押下によって、ＬＣＤ３０１に表示されるモード選択画面の変化推移を示している。なお、現時点ではプリンタ１０１はＭＦＰ化されていることを前提として説明する。
【００５２】
まず、動作モード・キー３１１をはじめに押下した際のデフォルト状態では、“プリンタモード”と表示（モード表示４０１）される。２回目を押すと“コピーモードＭ１（ヨウシヨミコミ）”に変化（モード表示４０２）する。このモードを確定して幾つかの操作を行うとプリンタとスキャナを設定するためのフォーマット用紙がプリンタより出力される（詳細は後述）。３回目を押すと“コピーモードＭ２（トウロクヨミコミ）”に表示（モード表示４０３）が変わる。
【００５３】
このモードで確定すると前記フォーマット用紙の出力及び読み込みは行わず、予めプリンタに登録してある情報の番号選択画面に切り替わり、それを選択することによって、プリンタとスキャナの設定を行う。さらに４回目を押すと“スキャナモード”の表示（モード表示４０４）に切り替わる。このモードに確定するとコピー機能としては働かず、スキャナ１０２からスキャンした画像をプリンタ１０１に保存するか、ネットワーク１０４上のホスト２０１に吸い上げる等の本来のスキャナ動作として働く。
【００５４】
本実施形態は“コピーモードＭ１”と“コピーモードＭ２”に関係している。さらに、この２つのコピーモードＭ１，Ｍ２について説明する。
【００５５】
図５は、図３に示したＬＣＤ３０１に表示されるコピーモードＭ１選択時の表示推移を示す図であり、ＭＦＰ化されたプリンタ１０１にユーザが出向いて、コピー操作を行うことを想定した一連の操作を表している。
【００５６】
図５において、５００はパネルで、ＬＣＤ３０１上には、図６に示す動作モード状態を示すテキストが表示される。
【００５７】
図６は、図５に示したＬＣＤ３０１に表示される動作モードの表示推移を示す図であり、コピーモードＭ１選択時におけるユーザの操作によるＬＣＤ表示の変化を表している。
【００５８】
図６において、コピーしたい場合、ユーザは原稿を持ってプリンタ１０１へ行き、デフォルトのプリンタモードから動作モード・キー５０１を押下して、この場合コピーモードＭ１を選択する。するとスキャナ１０２を表しているＬＥＤ５０６が点灯すると同時にＬＣＤ３０１に“セッテイヨウシヲシュツリョクシマスカ？”と表示（モード表示Ｓ５０２）されて、コピー・キー５０４が点滅を開始する。ここで、実行／リセット・キー５０２を押下するとＬＣＤ３０１の表示が“セッテイヨウシシュツリョクチュウ”の表示（モード表示Ｓ５０３）となり、プリンタ１０１より設定フォーマット用紙が出力される（フォーマット用紙については次に説明する）。この設定用紙に必要事項をチェックして、スキャナにセットして、今点滅状態のコピー・キー５０４を押下するとＬＣＤ３０８の表示が“セッテイヨウシヨミコミ”（モード表示Ｓ５０４）に変化して設定用紙の読み込みを開始する。
【００５９】
設定用紙を読み取り、プリンタが自身とスキャナのモード設定を完了すると、ＬＣＤ３０１に“プリンタ＆スキャナノセッテイカンリョウ”と表示（モード表示Ｓ５０５）される。
【００６０】
暫くすると、コピー・キー５０４が点滅から点灯に変化し、ＬＣＤ３０８に“ゲンコウヲセットシテコピーキーヲオス”と表示（モード表示Ｓ５０６）されるので、ユーザは原稿用紙をスキャナにセットして、コピー・キー５０４を押す。
【００６１】
すると原稿の読み取り処理が開始され、ＬＣＤ３０８に“コピーチュウ”と表示（モード表示Ｓ５０７）されると同時にコピー・キー５０４が再び点滅を開始する。
【００６２】
そして、コピー印刷が完了すると、再びＬＣＤ３０８に“ゲンコウヲセットシテコピーキーヲオス”２と表示（モード表示Ｓ５０８）されるので、同じ設定でコピーしたい原稿があればそれがなくなるまで、スキャナ１０２に原稿セット→コピー・キーを押す、の操作を繰り返せばよい。
【００６３】
一方、モード表示Ｓ５０８の状態で表示パネル５００のキャンセル・キー５０３を押すと、再び、モード表示５０２の状態にもどり、新たな原稿のための設定用紙を出力するかどうかを聞いてくる。これ以上コピーすべき原稿がなければもう一度キャンセル・キー５０３を押すことで、モード表示Ｓ５０９のプリンタモードに復帰する。このとき、コピー・キー５０４は無灯へ変化する。
【００６４】
図７は、図１に示したスキャナ１０２にセットされる動作モード設定フォーマット用紙の一例を示す図であり、プリンタより出力されるフォーマット用紙例である。例えばＡ４サイズのフォーマット用紙６０１で、１枚の用紙で、２つの動作モードを設定可能に構成されている。
【００６５】
図７において、６０２は設定シートで、シートＳ１，Ｓ２から構成される。この例では１ページで２回分の設定が可能である。
【００６６】
図のように各設定シートには、使用済みマークから始まりコピー対象までそれぞれの項目の左にチェック項目が記載されている。ユーザは、必要な項目について四角の箱（チェックマークと呼ぶことにする）を塗りつぶしていけばよい。
【００６７】
シートＳ１（フォーマット用紙６０２の上側）を設定使用済みの場合は、シートＳ１の“使用済みマーク”を塗りつぶして、下側のシートＳ２にチェックを入れて再利用可能である。当然ながら設定値が同じならば同設定用紙を何度でも使いまわすこともできる。１度使ったシートは所定の位置に保存しておけばよい。
【００６８】
シートＳ１に記載されている６０３及び６０４は基準マーカで、チェックマークのための位置決め情報である。
【００６９】
スキャナ１０２で設定フォーマット用紙を予め決められた解像度でメモリ（ＲＡＭ２０６）に読み込こんだ場合に、まず前記基準マーカ６０３，６０４の位置を確認して、位置ずれを補正する（詳細は後述）。
【００７０】
図８は、図１に示したスキャナ１０２にセットされる動作モード設定フォーマット用紙の一例を示す図であり、図６に示したシートＳ１上のマークをユーザが塗りつぶした例である。
【００７１】
図８において、必要なマークを塗りつぶしてから原稿よりも先にこの設定用紙７０１を読み込ませる。メモリ上の各マークの読み取り基準位置及びエリアは予め決められており、メモリ上の基準位置７０２から前記位置補正を施した一定エリアをスキャンして、その中のドットの数をカウントする。このドットカウント値がある閾値以上であれば、ある設定項目のその位置のチェックマークが塗りつぶされていると判断する。
【００７２】
図９は、図８に示したシートＳ１の左隅の“使用済みマーク”と“用紙サイズ”の項目の一部を拡大した図である。
【００７３】
図９において、点Ａ（０，０）が取り込まれたメモリ上の絶対基準位置である。図９に示す例では“使用済みマーク”と“Ａ４横”のチェックマークが代表として示されている。
【００７４】
各チェックマークの左隅点Ｂ（ｘ１、ｙ１）、点Ｃ（ｘ２、ｙ２）が絶対基準位置Ａからの相対的な基準位置である。これらの相対基準位置は予め決められており、ＲＯＭ２０５上に記憶されている。ここでは各チェックマークエリアのサイズは１辺がＬの正方形としている。
【００７５】
ここで、前記基準マーカによるチェックマーク位置補正について説明する。
【００７６】
図１０，図１１は、図９に示した絶対基準位置Ａに対する基準マーカの位置ずれ状態を説明する図であり、図１０の（ａ）及び（ｂ）は、それぞれ絶対基準位置Ａに対する基準マーカの位置ずれがある場合に対応する。
【００７７】
図１０において、相対基準点Ｂの矩形エリアは、基準マーカを読み取る範囲を規定している。相対基準点Ｃの点線の矩形が本来理想状態での基準マーカがあるべき予め決められた位置である。ここでは、基準マーカはｎ×ｎの正方形としている。
【００７８】
しかし、設置用紙をスキャナに設定する場合、どうしても若干の位置ずれを起こしてしまう。この補正を行うのが基準マーカの働きである。シートＳ１の右隅の基準マーカ６０３を主基準マーカ、その対角線上にある基準マーカ６０４を副基準マーカと呼ぶことにする。
【００７９】
まず、スキャナ１０２で読みとりメモリに保存したデータに対して、主基準マーカの位置ずれを検出して、各チェックマークの読み取り位置補正を行う。絶対基準位置Ａからの所定の主基準マーカ読みとり位置Ｂより矩形ｍ×ｍの範囲で点Ｂより左側に順次スキャンする。
【００８０】
そのエリア内で初めにヒットした黒ドット位置（図１０の場合、点Ｄや点Ｅ）からｎドット連続して黒ドットであれば、その点を主基準マーカの相対基準位置とする。
【００８１】
この相対基準位置の判断においては、点Ｄや点Ｅからｎドットを数ライン繰り返すことで判断してもよいし、あるいはスキャナの読み取り誤差（ドット抜け）を考慮して基準マーカ読み取りエリアすべてをスキャンして、その内部での基準マーカの基準位置及び面積（黒ドットのカウント値）から判断してもよい。
【００８２】
また、読み取った主基準マーカの位置が許容範囲内であるかどうかの判断は、以下のようにして行う。求めた相対基準位置（Ｄ，Ｅ）からＸ方向及びＹ方向にｎドット分を加算することにより、それぞれの値が相対基準点ＢからやはりＸ方向及びＹ方向にｍドット加算した範囲（基準マーカ読み取り範囲）を超えるかどうかで判断を行う。
【００８３】
これをオーバしている場合には、基準マーカが読みとりエリアを外れているのでＮＧとして、ユーザに対して設定用紙のスキャナへのセットのやり直しを促して再読み込みを行わせる。
【００８４】
一方、主基準マーカが許容範囲内であれば、理想基準点Ｃからの点Ｄや点Ｅの位置ずれ量を算出する。
【００８５】
なお、図１０の（ａ）及び（ｂ）はすべて許容範囲内の例である。図の矢印分だけの位置補正が必要となる。
【００８６】
一方、図１１は、適正読み取り不能なＮＧの例である。
【００８７】
図１１において、点Ｄ及び点Ｇを基準とする矩形は明らかに許容範囲をオーバしている。また、点Ｅを基準とした矩形は、点Ｂの矩形（読み取りエリア）に重なっており、これもＮＧである。
【００８８】
さらにここまでで主基準マーカが許容範囲にあり、位置補正値を算出できたら、次に副基準マーカの読み取りを行う。この読み取りでは、すでに求めている位置補正値を用いて、副基準マーカの読み取りエリア（図１０の点Ｂの矩形に相当）を開始する基準点（図１０の点Ｂの矩形と同様なので図１０を読み替えて同様に参照のこと）に位置補正をかけた読み取り基準点を改めて点Ｂとして、前記と同様にそのエリア内部に副基準マーカが存在し、なお且つ許容範囲内にあるかどうかを判断する。
【００８９】
ここで、主基準マーカを用いて位置補正をしたにも関わらず、副基準マーカが読取り範囲内にないということは、スキャナにセットされた設定用紙自体がかなり斜めになっていることが考えられる。
【００９０】
その場合は、当然副基準マーカ読取りＮＧとして、主基準マーカの場合と同様に、ユーザに対して設定用紙のスキャナへのセットのやり直しを促して再読み込みを行わせる。主・副基準マーカの判定がともにＯＫであれば、算出した位置補正値は有効として、各チェックマークの相対基準点の位置を補正する。
【００９１】
もう一度、図８に示したチェックマーク７０２において、このチェックマークは位置補正がされた矩形であり、その補正された基準位置から規定エリア内部をスキャンすることにより、一定以上の閾値レベルにあれば（例えば、黒ドットカウント値が３０％以上であればＯＫにするとか）、そのチェックマークは塗りつぶされていると判断される。
【００９２】
ここで、コピーモードＭ１の場合でのコピー操作の流れとフォーマット化された設定用紙を用いたプリンタ及びスキャナの設定までの動作手順を図１２及び図１３のフローチャートを用いて説明する。
【００９３】
図１２は、本発明に係る画像処理装置における第１のデータ処理手順の一例を示すフローチャートであり、コピーモードＭ１の場合でのコピー操作の流れとフォーマット化された設定用紙を用いたプリンタ及びスキャナの設定までの動作手順に対応する。なお、（１１０１）〜（１１１３）は各ステップを示す。以下、ユーザはプリンタ１０１の前まで出向いてパネル２０８を操作する場面から説明を始める。
【００９４】
通常ネットワークプリンタとして用いているので標準ではスタート地点で、プリンタモードとなっている（１１０１）。ここで、ユーザは原稿のコピーを行いたいので、前記パネル２０８の操作キー（図３参照）を用いて、動作モードの選択状態に入る（１１０２）。
【００９５】
次に、この例ではコピーモードＭ１に入って、設定用紙を読み込ませることを前提としているので、コピーモードＭ１を選択する。
【００９６】
ここで、コピーモードＭ１が選択されたかどうかを判断して（１１０３）、コピーモードＭ１以外を選択した場合には、その他の処理を行い（１１０４）、ステップ（１１０５）へ進み、完了してから最終的にプリンタモードに復帰して処理を完了する。
【００９７】
一方、ステップ（１１０３）でコピーモードＭ１を選択したと判断した場合、ステップ（１１０６）で、フォーマット化された設定用紙をプリンタ１０１から出力するを選択しているかどうかを判断して、既に以前の設定用紙があり、準備完了していれば出力する必要がないのでキャンセルして、ステップ（１１０８）へ進み、必要があれば設定用紙を出力する。
【００９８】
そして、ステップ（１１０７）では、新たに出力した設定用紙に記入する。次に、設定用紙を一度読み込ませてコピー操作を行った後に、再び次の新たなモード設定でのコピーを引き続き行うかどうかを判断して、これ以上新たな設定でのコピーがなければキャンセルキーを押すことでデフォルトのプリンタモードに復帰することができる。
【００９９】
そこで、ステップ（１１０８）では、キャンセル指示があったかどうかを判断して、キャンセル指示した場合には、ステップ（１１０５）へ進む。
【０１００】
一方、このステップ（１１０８）で、キャンセル指示したと判断した場合でも、例えば設定用紙が準備できた時点で気が変わり、ここでキャンセルすることも可能である。
【０１０１】
次に、ステップ（１１０８）で、キャンセル指示しないと判断した場合、ステップ（１１０９）で、準備した設定用紙をスキャナ１０２にセットして設定項目の読み込みを開始する。そして、ステップ（１１１０）において、前記読み込みが完了してさらにプリンタ及びスキャナの設定が完了しているかどうかを判断して、設定が完了するまで待機する。
【０１０２】
そして、ステップ（１１１１）で、プリンタ１０１及びスキャナ１０２の設定が完了すると、表示パネルに原稿をセットせよとのメッセージが表示されるのでコピーしたい原稿をスキャナにセットしてコピー・キーを押す。
【０１０３】
なお、原稿がセットされてコピー・キーが押されるまではコピー待機状態である。
【０１０４】
そして、コピー・キーが押されたら、ステップ（１１１２）ではコピー処理を行い、コピーが完了すると、ステップ（１１１１）に戻り、再び原稿のセットの表示が出てコピー待機状態になる。
【０１０５】
一方、ステップ（１１１１）で、コピーすべき原稿がないか、もしくは新たな設定で次の原稿をコピーしたいと判断した場合（キャンセルの場合）には、ステップ（１１１３）で、一端キャンセルキーを押すことにより、ステップ（１１０６）の設定用紙を出力するかどうかまで状態が戻る。
【０１０６】
そして、新たな設定でコピーをしたければ、再び前記のループを回ればよい。
【０１０７】
一方、ステップ（１１０８）で、これ以上コピーをする必要がないと判断した場合（キャンセルキーが押下指示された場合）には、ステップ（１１０５）で、デフォルトのプリンタモードに復帰して、処理を終了する。
【０１０８】
図１３は、本発明に係る画像処理装置における第２のデータ処理手順の一例を示すフローチャートであり、設定用紙を読み込ませてプリンタ及びスキャナを設定するまでの動作手順に対応する。なお、（１２０１）〜（１２１５）は各ステップを示す。
【０１０９】
まず、ステップ（１２０１）で、設定用紙の準備完了状態から説明を開始するが、この説明に入る前にこのフローチャートにはプリンタ１０１への登録という項目が出てくるが、まずこれについて説明する。
【０１１０】
本実施形態において、上記登録とは、ネットワーク上の各ホストからドライバソフトにより、コピーを行うためにプリンタへ出向く前に事前に設定項目をプリンタ１０１に登録しておき、その時に発行された登録番号をプリンタのパネル上で選択することにより、必要なプリンタ及びスキャナを設定する方法である。この場合は、図７に示したような設定用紙を読み込ませることはない。
【０１１１】
従って、ステップ（１２０２）で登録を選択したと判断した場合には、設定用紙の読み込みは行わず、ステップ（１２０３）に示すようにホストからの登録情報をもとにプリンタ１０１及びスキャナ１０２の設定を行う。
【０１１２】
そして、ステップ（１２０２）で、設定用紙出力を選択したと判断した場合には、ステップ（１２０４）で、その設定用紙を決まった条件（階調度、解像度）で読み込みメモリに保存する。
【０１１３】
次に、ステップ（１２０５）では、保存された設定データに関して、主基準マーカの解析を行う。
【０１１４】
前記説明したように、読み取りエリア（図１３では計測領域と記載する）内での主基準マーカの相対基準点及びスキャナの読みとり誤差等も考慮する必要があれば、読み取り領域内での（黒）ドットカウント値を求める。
【０１１５】
そして、ステップ（１２０６）で、これらの情報をもとに主基準マーカが位置補正可能な状態かどうかを判断する。すなわち、主基準マーカが前記読み取りエリア内にあればＹＥＳと判断される。
【０１１６】
一方、ステップ（１２０６）で、主基準マーカが位置補正可能な状態でないと判断した場合は、ステップ（１２０７）で、設定用紙がスキャナでの用紙セット位置からズレている可能性が高いので、そのことをユーザに連絡して、設定用紙のセット位置を確認・修正して、再び読み込むことを要求して、ステップ（１２０４）へ戻る。
【０１１７】
そして、ステップ（１２０６）で、主基準マーカが位置補正可能な状態であると判断した場合には、ステップ（１２０８）で、副基準マーカの解析を行う。ここでは、前記主基準マーカで求めた位置保補正値を副基準マーカの読み取りエリアの基準点に適用して、そのエリア内部で相対基準点及び読み取りエリア内でのドットカウント値を求める。
【０１１８】
そして、ステップ（１２０９）では、その結果読み取りエリア内部に副基準マーカの存在を確認したか否かを判断して、その読み取りエリア内に存在しないか、もしくははみ出していると判断した場合には、設定用紙が斜めに設定されている可能性があり、前記と同様にステップ（１２０７）に進み、設定用紙の再確認及び再読み込みを要求する。
【０１１９】
一方、ステップ（１２０９）で、その読み取りエリア内に存在と判断した場合、すなわち、主・副基準マーカともに正常に読み取ることができると判断した場合は、ステップ（１２０５）で求めた主基準マーカの基準位置からの位置補正値をすべてのチェックマークの基準点に適用する位置補正処理を行う（１２１０）。
【０１２０】
そして、ステップ（１２１１）では、シートの上から順番に位置補正後の各チェックマークをひとつずつ解析する。基準点からの読みとりエリア内のドットをカウントして、ステップ（１２１２）において、塗りつぶしの有無を判断して、例えば記入漏れやドットカウント値が閾値に満たなく、それ以外に今選択中の項目の中で塗りつぶしたチェックマークが存在しないと判断した場合には、ステップ（１２１３）に進み、記入漏れや記入ミスについてユーザに連絡して、設定用紙の再読み込みを要求した後、ステップ（１２０４）へ戻る。
【０１２１】
一方、ステップ（１２１２）において、ある項目のチェックマークが正常に確認されたと判断した場合には、ステップ（１２１４）に進み、さらにチェックすべき項目が残っているかどうかを判断して、残りの項目があると判断した場合は、再びステップ（１２１１）へ戻り、チェックマークを解析する。
【０１２２】
一方、ステップ（１２１４）で、チェックすべき項目が残っていないと判断した場合は、ステップ（１２１５）に進み、今までに設定用紙から得た設定値をプリンタ及びスキャナに設定を行い、設定用紙の処理を終了する。
【０１２３】
〔第２実施形態〕
上記第１実施形態では、ユーザがＭＦＰ化（オプションのスキャナを接続してコピー機能を搭載）したプリンタ１０１の前でパネル２０８で、コピー操作を行う場合の例について説明したが、ここでは、ユーザが自分のホスト２０１上で、ＭＦＰ化したシステムに対して、ドライバが提供するユーザインタフェースを介してＭＦＰ化した操作指示を行うように構成してもよい。以下、その実施形態について説明する。
【０１２４】
図１４，図１５は、図２に示したホスト２０１上の表示装置に表示されるドライバ設定画面の一例を示す図であり、図２と同一のものには同一の符号を付してある。なお、図１４は、図２に示したホスト２０１上の表示装置に表示される操作部表示画面例に対応し、図３に示した操作パネルがイメージ化された表示例であり、図１５は、電子化された設定フォーマット用紙がイメージ化された表示例である。
【０１２５】
図１６は、本発明に係る画像処理装置における第３のデータ処理手順の一例を示すフローチャートであり、設定用紙を読み込ませてプリンタ及びスキャナを設定するまでの動作手順に対応する。なお、（１３０１）〜（１３１８）は各ステップを示す。
【０１２６】
まず、ステップ（１３０１）では、ホスト２０１のドライバ画面上でフォーマット化された設定用紙（画面）をプリンタ１０１へコピーに出向く前に設定する。その場合の処理について図１４及び図１５を用いて説明する。
【０１２７】
ユーザのホスト２０１でドライバソフトを立ち上げて、所定の操作を行うと、図１４に示すホスト２０１の表示パネルＤＩＳに図３に示した操作パネルのレイアウトと同一のイラストイメージが表示される。このイラストイメージの各部分はプリンタ１０１の表示部２０８と同じ機能が割り当てられており、各キーを操作（この場合マウス等のポインティングデバイスＰＤでの操作）すると第１実施形態で説明したパネル２０８と同じ変化（表示）を行うことができる。
【０１２８】
ここで、第１実施形態でのパネル操作の説明と同様に動作モード・キーでコピーモードを選択して確定すると、図１５に示す設定フォーマット用紙が画面上に表示される。この設定用紙に必要な項目のチェックマークをポインティングデバイスＰＤでクリックすると、図１５に示すようにチェック個所が黒く塗りつぶされる。
【０１２９】
ステップ（１３０２）では、ユーザは、自分のコピー処理がその設定用紙をプリンタ１０１に出力するか又は登録するかの問い合わせを行う。ここで、登録すると判断した場合は、ステップ（１３０３）で、画面上の設定用紙の記入が完了して確定すると、同様の操作でその設定に対する新たな登録番号が発行される。発行された登録番号はメモに控えておくなりして記録（記憶）しておく。
【０１３０】
そして、ステップ（１３０４）で、新たな設定を行い、再びステップ（１３０１）の設定用紙画面に戻る。
【０１３１】
なお、この際、メモリやハードディスク等と同時にその登録番号がユーザに対して発行される。この登録は複数個連続して行うことも可能である。
【０１３２】
一方、ステップ（１３０２）で、これ以上、登録する設定がないと判断した場合は、ユーザはプリンタに出向く。
【０１３３】
そして、ステップ（１３０５）に進み、ステップ（１３０２）において、プリンタ１０１への出力を選択した場合には、プリンタ１０１へ設定情報が転送されてプリントアウトが実施される。
【０１３４】
そして、ステップ（１３０５）において、新たに設定したい項目があるかどうかを判断して、あると判断した場合には、再びステップ（１３０１）に戻り、同様に複数枚の用紙設定及び出力することが可能である。当然ながら設定情報をプリントアウトする場合と登録する場合が混在してもかまわない。
【０１３５】
一方、ステップ（１３０５）でＮＯと判定された場合、ステップ（１３０６）で、設定情報の設定用紙出力及び登録が完了したらユーザはプリンタまで出向いて行く。
【０１３６】
そして、プリンタ１０１の表示パネルのキー操作にて、前記動作モード・キーによりモードを選択する。
【０１３７】
そして、ステップ（１３０７）で、コピーモードＭ２が選択指示されたかどうかを判断して、コピーモードＭ２が選択指示されていなと判断した場合には、ステップ（１３０８）に進み、コピーモードＭ１が選択されたかどうかを判断して、コピーモードＭ１が選択されたと判断した場合は、ステップ（１３０９）へ進み、先ほど予めホストからプリントアウトした設定用紙を用いて、第１実施形態と同様に、コピーモードＭ１の処理を実施して、ステップ（１３１１）へ進む。
【０１３８】
なお、この場合、既に設定用紙は準備できているので、設定用紙の出力の項目はスキップすればよい。
【０１３９】
一方、ステップ（１３０８）でコピーモードＭ１でないと判断した場合には、ステップ（１３１０）に進み、その他の処理を行い、ステップ（１３１１）で、デフォルトのプリンタモードに復帰して、処理を終了する。
【０１４０】
一方、ステップ（１３０７）で、コピーモードＭ２を選択したと判断した場合には、パネルのＬＣＤに順次登録番号が表示されるので、ステップ（１３１２）で、セット・キーで選択して自分に割り当てられた登録番号で確定（実行・キー）して、ステップ（１３１３）で、キャンセルキーが指示されたかどうかを判断して、キャンセルキーが指示されたと判断した場合には、ステップ（１３１１）へ進む。
【０１４１】
一方、ステップ（１３１３）で、キャンセルキーが指示されていないと判断した場合には、ステップ（１３１４）へ進み、コピー・キーを押すことにより登録情報に基づいて、プリンタ及びスキャナの設定を行う。
【０１４２】
そして、ステップ（１３１５）で設定が完了すると、コピーしたい原稿をセットするようにパネルよりユーザに要求する。
【０１４３】
そして、ステップ（１３１６）で、原稿のセットが完了したと判断した場合には、コピー・キーを押下することによりステップ（１３１７）へ進み、コピー処理が行われる。
【０１４４】
そして、コピー処理が完了すると、再びステップ（１３１６）に戻り、コピーを終了したか、もしくは新たな設定情報に基づいてコピーを行いたい場合、キャンセルキーを押した場合には、次の設定のためのキャンセルまたはコピー処理を終了して、ステップ（１３１２）のモード選択に戻る。
【０１４５】
そして、ステップ（１３１３）で、キャンセルキーが指示されたら、コピーが完了したものとして、ステップ（１３１１）へ進み、プリンタモードに復帰して処理を終了する。
【０１４６】
以下、図１７，図１８を用いて、コピーモードＭ２での表示パネル操作及びそれによるＬＣＤへのメッセージの変化を説明する。
【０１４７】
図１７，図１８は、図２に示したパネル２０８に表示されるコピーモードＭ２による操作画面の推移を示す図である。
【０１４８】
動作モード・キーでコピーモードＭ２の選択をしていると、モード表示Ｓ１６０１が画面表示される。このとき、コピー・キーは点滅している。そして、コピーモードＭ２（トウロクヨミコミ）を選択（セットアップ・キー）・確定（実行・キー）すると同時に登録番号がＬＣＤに表示（モード表示Ｓ１６０２）される。
【０１４９】
ここで、セットアップ・キーを押すことにより、順次登録されている番号が表示される。モード表示Ｓ１６０３では、自分に割り当てられた登録番号２５を選択した画面である。
【０１５０】
ここで、点滅しているコピー・キーを押すと、モード表示Ｓ１６０４に移り、“トウロクバンゴウ２５ノヨミコミ”と表示され（まだ、コピー・キーは点滅状態である）、登録番号「２５」の設定情報に基づいてプリンタ及びスキャナの設定が開始される。設定が完了すると、モード表示Ｓ１６０５に移り、“プリンタ＆スキャナ，セッテイカンリョウ”と表示する。
【０１５１】
この時点でコピー・キーは点滅から点灯に変化する。しばらくすると、モード表示Ｓ１６０６に移行して“ゲンコウヨウシヲセットシテコピーキーヲオス”と表示されるので、原稿をスキャナにセットしてコピー・キーを押すと、モード表示Ｓ１６０７の“コピーチュウ”と表示されてコピー処理が開始される。
【０１５２】
この時コピー・キーは再び点滅状態となる。
【０１５３】
そして、コピー処理が完了すると、モード表示Ｓ１６０８に移行して、再び“ゲンコウヨウシヲセットシテコピーキーヲオス”と表示する。ここで、次の原稿がプリンタ及びスキャナの設定を変更したい場合、そしてその設定情報が既にプリンタに登録してある場合には、モード表示Ｓ１６０８の状態からキャンセルキーを押すことにより、再度登録番号の選択画面となる。
【０１５４】
そして、図１８に示すモード表示Ｓ１６０９に移り、その後のモード表示Ｓ１６１０〜Ｓ１６１５までは、モード表示Ｓ１６０２〜Ｓ１６０８までの操作と同様である。
【０１５５】
また、新たな設定値でコピー操作を行えばよい。コピー処理が完了したならば、モード表示Ｓ１６１６の状態でキャンセルキーを２回押すとプリンタモードに復帰して終了する。
【０１５６】
上記実施形態では、ＳＦＰのＭＦＰ化としてオプションのスキャナを接続した例を説明したが、本発明は、ＭＦＰ化した場合のプリンタ及び拡張オプション装置（スキャナやＦＡＸ等）の表示パネルを用いた設定にたいするもので、スキャナ接続によるコピー機能に限定するものではない。
【０１５７】
以下、図１９に示すメモリマップを参照して本発明に係る画像処理装置で読み取り可能なデータ処理プログラムの構成について説明する。
【０１５８】
図１９は、本発明に係る画像処理装置で読み取り可能な各種データ処理プログラムを格納する記憶媒体のメモリマップを説明する図である。
【０１５９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６１】
本実施形態における図１２，図１３，図１６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６３】
この場合、記憶媒体から読み出されたプログラムコード自体が本発明の新規な機能を実現することになり、そのプログラムコードを記憶した記憶媒体は本発明を構成することになる。
【０１６４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
本発明は上記実施形態に限定されるものではなく、本発明の趣旨に基づき種々の変形（各実施形態の有機的な組合せを含む）が可能であり、それらを本発明の範囲から排除するものではない。
【０１６９】
本発明の様々な例と実施形態を示して説明したが、当業者であれば、本発明の趣旨と範囲は、本明細書内の特定の説明に限定されるのではない。
【０１７０】
上記実施形態によれば、ＳＦＰをＭＦＰに拡張する場合に、ＳＦＰのシンプルで廉価な表示装置をそのまま用いて、しかも多岐に渡るプリンタ及び拡張オプション（スキャナ、ＦＡＸ等）の設定項目を設定する場合にユーザの使い勝手を損ねることなしに、安価にＳＦＰからＭＦＰへの拡張を提供できる効果がある。
【０１７１】
【発明の効果】
以上説明したように、本発明によれば、プリンタ装置に配設される操作パネルからの指示に従い、画像読取り装置に対して設定可能な画像処理モードを設定するための設定フォーマットシートを前記プリンタ装置から画像出力し、該画像出力された設定フォーマットシート上のチェックマークを前記画像読取り装置により読み取り、該チェックマークから画像処理モードを前記プリンタ装置および前記画像読取り装置に対して設定することにより、単機能のプリンタ装置と画像読取り装置とを接続して構成される画像処理システムにおいて、プリンタ装置が備える操作パネルの構成を変更することなく、高機能画像処理設定を簡易に行え、利便性と操作性に優れた画像処理操作環境を自在に構築することができるという効果を奏する。
【図面の簡単な説明】
【図１】本発明の第１実施形態を示す画像処理装置を適用可能な画像処理システムの構成を説明する図である。
【図２】図１に示したプリンタの構成を説明する詳細ブロック図である。
【図３】図２に示した表示部の一例を示す図である。
【図４】図３に示したＬＣＤに表示される動作モードの表示推移を示す図である。
【図５】図３に示したＬＣＤに表示されるコピーモードＭ１選択時の表示推移を示す図である。
【図６】図５に示したＬＣＤに表示される動作モードの表示推移を示す図である。
【図７】図１に示したスキャナにセットされる動作モード設定フォーマット用紙の一例を示す図である。
【図８】図１に示したスキャナにセットされる動作モード設定フォーマット用紙の一例を示す図である。
【図９】図８に示したシートの左隅の“使用済みマーク”と“用紙サイズ”の項目の一部を拡大した図である。
【図１０】図９に示した絶対基準位置に対する基準マーカの位置ずれ状態を説明する図である。
【図１１】図９に示した絶対基準位置に対する基準マーカの位置ずれ状態を説明する図である。
【図１２】本発明に係る画像処理装置における第１のデータ処理手順の一例を示すフローチャートである。
【図１３】本発明に係る画像処理装置における第２のデータ処理手順の一例を示すフローチャートである。
【図１４】図２に示したホスト上の表示装置に表示されるドライバ設定画面の一例を示す図である。
【図１５】図２に示したホスト上の表示装置に表示されるドライバ設定画面の一例を示す図である。
【図１６】本発明に係る画像処理装置における第３のデータ処理手順の一例を示すフローチャートである。
【図１７】図２に示したパネルに表示されるコピーモードＭ２による操作画面の推移を示す図である。
【図１８】図２に示したパネルに表示されるコピーモードＭ２による操作画面の推移を示す図である。
【図１９】本発明に係る画像処理装置で読み取り可能な各種データ処理プログラムを格納する記憶媒体のメモリマップを説明する図である。
【符号の説明】
１０１  プリンタ
１０２  スキャナ
１０３−１〜１０３−３  ホスト
【図１】
2004291550.tif 000003
【図２】
2004291550.tif 000004
【図３】
2004291550.tif 000005
【図４】
2004291550.tif 000006
【図５】
2004291550.tif 000007
【図６】
2004291550.tif 000008
【図７】
2004291550.tif 000009
【図８】
2004291550.tif 000010
【図９】
2004291550.tif 000011
【図１０】
2004291550.tif 000012
【図１１】
2004291550.tif 000013
【図１２】
2004291550.tif 000014
【図１３】
2004291550.tif 000015
【図１４】
2004291550.tif 000016
【図１５】
2004291550.tif 000017
【図１６】
2004291550.tif 000018
【図１７】
2004291550.tif 000019
【図１８】
2004291550.tif 000020
【図１９】
2004291550.tif 000021